(57)【要約】【課題】【解決手段】チャイルドシート用の自動ハーネスシステム（１）は、１の張力ウェブ（３）と、張力ウェブ（３）の締め付けを許容するように構成されたリトラクタ装置（２）と、ロック機構と、リトラクタ装置（２）に接続されるリリース機構とを備える。リリース機構は、アクチュエータを備え、アクチュエータの第１の位置から第２の位置への移動が、リリース機構を第１の状態から第２の状態に、あるいはその逆にする。アクチュエータの位置は、ユーザが、リリース機構が第１の状態あるいは第２の状態にあるか識別可能にする。【選択図】        図１Ａ
2019519437.tif 000002
【特許請求の範囲】
【請求項１】
チャイルドシート用のハーネスシステムであって、
少なくとも１つの張力ウェブと、
前記少なくとも１つの張力ウェブの第１の端に接続されるリトラクタ装置であって、前記張力ウェブの締め付けを許容して前記張力ウェブを第１の方向に移動させるよう構成にされ、前記張力ウェブの緩みを許容して前記張力ウェブを第２の方向に移動させるように構成されたリトラクタ装置と、
前記張力ウェブの第２の端に接続される第１のロック部と、第２のロック部であって、前記第１のロック部と合致して前記第１のロック部を前記第２のロック部に固定するように構成された第２のロック部とを備えるロック機構と、
前記リトラクタ装置に接続されるリリース機構であって、前記リリース機構が第１の状態にあるとき、前記リトラクタ装置が前記張力ウェブを前記第１及び第２の方向に移動させることを許容するように構成され、前記リリース機構が第２の状態にあるとき、前記リトラクタ装置が前記張力ウェブを前記第２の方向に移動させることを防止するように構成されるリリース機構と、
を備え、
前記リリース機構は、さらに、前記リリース機構に接続されたアクチュエータを備え、第１の位置から第２の位置への前記アクチュエータの移動が、前記リリース機構を前記第１の状態から前記第２の状態、あるいはその逆にし、
前記アクチュエータの位置は、ユーザが、前記リリース機構が前記第１の状態あるいは前記第２の状態にあるかを識別可能にする、
ことを特徴とするハーネスシステム。
【請求項２】
前記リリース機構は、前記リトラクタ装置内に配置され、第１の位置において前記リリース機構をその第１の状態に固定し、第２の位置において前記リリース機構をその第２の状態に固定するラッチ装置を備える、ことを特徴とする請求項１に記載のハーネスシステム。
【請求項３】
前記リリース機構は、その第２の状態に弾性的に付勢される、ことを特徴とする先行する請求項のいずれかに記載のハーネスシステム。
【請求項４】
前記アクチュエータは、遠方端と近傍端とを備える延伸部材であり、前記延伸部材の近傍端は、チャイルドシートにピボット可能に接続されるように構成され、前記遠方端は、前記第２のロック部を備える、ことを特徴とする先行する請求項のいずれかに記載のハーネスシステム。
【請求項５】
前記アクチュエータは、前記アクチュエータがリリースされた際に、前記第１の状態を有効化する位置へと自動的に回転するように、スプリングによって付勢される、ことを特徴とする先行する請求項のいずれかに記載のハーネスシステム。
【請求項６】
前記リリース機構は、前記アクチュエータによって付勢されるように適応され、前記リトラクタ装置をその第１の状態あるいはその第２の状態に固定するために前記リトラクタ装置に接続されるリリースアームを備える、ことを特徴とする先行する請求項のいずれかに記載のハーネスシステム。
【請求項７】
前記リリース機構は、前記アクチュエータとは分離している固定部材であって、固定位置において、前記アクチュエータがその第２の位置にあるときに前記リリース機構がその第１の状態に移動することを防止し、開位置において、前記リリース機構がその第１の状態で動作することを許容する固定部材を備える、ことを特徴とする先行する請求項のいずれかに記載のハーネスシステム。
【請求項８】
前記アクチュエータは、前記固定部材に結合され、前記アクチュエータは、前記固定部材をその固定位置から開位置へ、あるいはその逆に移動するように構成される、ことを特徴とする請求項７に記載のハーネスシステム。
【請求項９】
前記リリース機構は、前記チャイルドシートの基部に配置されるように構成される第１のリリースモジュール及び／または第２のリリースモジュールを備える、ことを特徴とする先行する請求項のいずれかに記載のハーネスシステム。
【請求項１０】
前記第１のリリースモジュールは、リリースケーブルを介して前記第２のリリースモジュールに結合され、前記リリースケーブルは、前記第１のリリースモジュールに加わる力を前記第２のリリースモジュールに、またその逆に力を伝達するように適応される、ことを特徴とする請求項８及び９に記載のハーネスシステム。
【請求項１１】
先行する請求項のいずれかに記載のハーネスシステムを備える、ことを特徴とするチャイルドシート。
【発明の詳細な説明】
【技術分野】
【０００１】
チャイルドシート用の自動ハーネスシステム及びそれを備えるチャイルドシートに関する。
【背景技術】
【０００２】
チャイルドシートは、特定の身長又は体重を有する子供が例えば乗用車等の自動車で移動する際の、自動車における安全システムの必須部分になっている。チャイルドシートは、体重あるいは身長のいずれか、又はそれら両方の組み合わせの特定の範囲で使用できるように適応され、これはチャイルドシートは、シートを用いる子供の特定のサイズまたは体重用に調整されるように適応されなければならないことを意味する。この調整能は、しばしば、調整可能なネックカラーを備えるシートや、ハーネスシステムが子供のサイズに調整されるように適応されたシートにおいて見られる。
【０００３】
子供を自動車のシートに固定する際に子供の親や保護者がしやすいよくあるミスの一つは、児童のサイズにハーネスを正確に調整しないことであり、これによってハーネスが子供にとっては非常にきつくなり、子供は不快に感じてしまう。より危険なシナリオは、ハーネスの締め付けが子供に対して非常に緩い場合、自動車の衝突時に、緩んでいるハーネスにおける子供の移動が衝突力の増加となることである。
【０００４】
従って、システムのリスク、要求、及び／または、不具合さえも意識していない子供が適切にチャイルドシートに固定されないといったリスクを最小限にするために、ハーネスシステムの改善が求められており、当該改善により、親及び／または保護者は、彼らの行動によって子供が適切に固定され、故障のリスクが最小限であることを確信することができる。
【０００５】
米国特許第５３９８９９７号は、リトラクタと、第１のロック舌と、第２のロック舌と、バックルとを備え、自動車の乗員を押さえるシートベルトシステムを開示する。リトラクタは、ウェビング巻き方向及びウェビング反巻き方向に回転可能なスプールを備え、このリトラクタは、さらに、第１及び第２のロック舌がバックルと接続された際に、ウェビング反巻き方向へのスプールの回転を防止するロックバーを備える。このシートベルトシステムは、バックルに挿入されたバックルコネクタに依拠し、ユーザは、バックルを組み合わせた際にロック機構が作動しているか否かを識別できない。つまり、ミスによってロック機構が作動していない場合でも、ユーザは、当該ミスを認識することが困難である。
【０００６】
欧州特許第２３９１５２５号は、ハーネスリトラクタを備えるチャイルドシートを開示し、このシステムは、ウェブ及びバックルコネクタと、回転可能なリトラクタ機構とを備え、ロック装置とバックルハウジングとの間に接続されたリリース機構は、ロック装置を第１のポジションから第２のポジションに切り替えるように作動可能であり、巻き取り方向へのリトラクタ機構の回転を許容する。このハーネスリトラクタロック機構は、シートロック機構が係合された際に、ユーザがシートベルトの締め付けを調整することを防止する。これは、ユーザが不適切にハーネスを引っ張った場合、その後にユーザが締め付けを調整することをロック機構が防止することを意味する。
【発明の概要】
【発明が解決しようとする課題】
【０００７】
従って、自動車用のハーネスシステム、特に、チャイルドシート用のハーネスシステムについての改善が求められている。
【課題を解決するための手段】
【０００８】
本発明によれば、チャイルドシート用のハーネスシステムが提供され、このハーネスシステムは、少なくとも１つの張力ウェブと、前記少なくとも１つの張力ウェブの第１の端に接続されるリトラクタ装置であって、前記張力ウェブの締め付けを許容して前記張力ウェブを第１の方向に移動させるように構成され、また、前記張力ウェブの緩みを許容して前記張力ウェブを第２の方向に移動させるように構成されたリトラクタ装置と、前記張力ウェブの第２の端に接続される第１のロック部と、第２のロック部であって、前記第１のロック部と合致して前記第１のロック部を前記第２のロック部に固定するように構成された第２のロック部とを備えるロック機構と、前記リトラクタ装置に接続されるリリース機構であって、前記リリース機構が第１の状態にあるとき、前記リトラクタ装置が前記張力ウェブを前記第１及び第２の方向に移動させることを許容するように構成され、また、前記リリース機構が第２の状態にあるとき、前記リトラクタ装置が前記張力ウェブを前記第２の方向に移動させることを防止するように構成されるリリース機構と、を備え、
前記リリース機構は、さらに、前記リリース機構に接続されるアクチュエータを備え、第１の位置から第２の位置への前記アクチュエータの移動が、前記リリース機構を前記第１の状態から前記第２の状態、あるいはその逆にし、前記アクチュエータの位置は、ユーザが、前記リリース機構が前記第１の状態あるいは前記第２の状態にあるかを識別可能にすることを特徴とする。
【０００９】
ロック機構の第１の部分は、１つ以上のバックルコネクタであってよく、ロック機構の第２の部分は、バックルハウジングであってよい。
【００１０】
リリース機構の２つの状態は、ユーザが、ハーネスシステムを、子供がチャイルドシートに固定され、張力ウェブがリリースあるいは締め付けられた状態に操作することを許容し、張力ウェブが子供を安全に及び／または快適に固定するのに十分に緩むようにすることを確実にする。子供がシートに位置決めされ、またハーネスが児童を固定するのに十分に緩むように位置決めされると、アクチュエータがその第２の位置に操作されてよく、それによってリトラクタ装置が張力ウェブをこれ以上緩まないようにする。従って、ロック装置が係合され、張力ウェブは子供の周囲を締め付けるように更に調整されるが、それ以上緩まないようにされている。従って、事故が起きた場合、リトラクタ装置は、事故の間に張力ウェブが確実に緩まないことを確実にし、子供は、その児童用シートにおいて安全である。
【００１１】
ハーネスシステムを、ユーザが、アクチュエータがその第２の位置にあるか否かを視認できるように配置することで、ユーザは、自動車の移動モードにおいてハーネスシステムが適切な状態にあると安心できる。アクチュエータが視認可能でない場合、ユーザは、システムが適切な状態にあること及び移動の際にチャイルドシートが子供にとって安全かを確信するためも、子供をシートに固定する度にハーネスシステムを厳密にテストしなくてはならない。
【００１２】
これは、子供がチャイルドシートに位置決めされた際に、張力ウェブを後退状態にし、また、第２のロック部とともにアクチュエータが不適切に位置決めされることを許容する。従って、親あるいは保護者は、子供が配置されるチャイルドシートの領域からハーネスシステムを移動させる必要がない。リトラクタ装置は、外部からの力がウェブに加わっていない場合、張力ウェブが完全に後退（巻き取り）されるようにし、アクチュエータの第２の位置は、チャイルドシートの着席領域から離れた位置に位置決めされるように適応されてよい。
【００１３】
さらに、本発明は、例えば子供が大きな冬用のジャケットを着用しており、使用中においてジャケットが圧縮される等の使用の間、チャイルドシートが自動的に調整／後退されることを許容する。従って、服を着ている子供の総体積は、使用中においては減少し、本発明は、張力ウェブに加わる低下した力が、リトラクタ装置に、使用中においてさらに張力ウェブを巻き取ることを確実にする。
【００１４】
リリース機構は、その第２の状態にある場合、リリース装置が第２の状態にあるとき、リトラクタ装置が張力ウェブを第１の方向に移動させることを許容するとともに、リトラクタ装置が張力ウェブを第２の方向に移動させることを防止する。
本発明の技術的範囲において、ハーネスシステムは、２つ以上の張力ウェブと、それに対応するリトラクタ装置及びリリース機構の関連する部材とを備える。２つ以上の張力ウェブ及び対応するリトラクタ装置を備えることで、リリース機構は１つのアクチュエータに接続され、リリース機構のロックが単一のアクチュエータで制御できるという利点がある。
【００１５】
本発明の技術的範囲において、「張力ウェブの第２の端に接続される第１のロック機構」の用語は、第１のロック機構が、直接あるいは間接的に張力ウェブの第２の端に接続され得ることを意味する。これは、ロック機構が、張力ウェブの第２の端に接続されるが、中間ハーネス、あるいはハーネスシステムの部品が、第１のロック機構と張力ウェブの第２の端との間にあってもよいことも意味する。考慮すべき点は、引っ張り力が、第１のロック機構と張力ウェブの第２の端との間で伝達され得る点である。
【００１６】
本発明の技術的範囲において、リトラクタ装置は、クイックアジャスタあるいは当業者によく知られている同様の装置であってよい。
【００１７】
本発明によれば、「リリース機構」の用語は、リトラクタ機構が、張力ウェブを送り出すことを防止するとともに、選択的に張力ウェブが送り出されることに加えて張力ウェブが巻き取られるようにすることに寄与する何らかの要素として見ることができるものである。
【００１８】
一つの実施の形態においては、リリース機構は、リトラクタ装置内に配置され、第１の位置において前記リリース機構をその第１の状態に固定し、第２の位置において前記リリース機構をその第２の状態に固定するラッチ装置を備えてよい。本発明によれば、リリース機構の第１及び第２の状態は、リトラクタ装置に伝達されてよく、リトラクタ装置は、第１の位置においてリトラクタ装置がその第１の状態に固定され、第２の位置においてリトラクタ装置がその第２の状態に固定されるように構成される。リトラクタ装置は、弾性的に付勢されたスプールであってよく、弾性力は、張力ウェブに引張り力を加え、弾性力より小さい力が張力ウェブに加わった場合、ウェブは、スプールにロードされる。しかしながら、リトラクタ装置がその第１の状態にあり、ウェブに加わる力が弾性力より大きい場合、ウェブはスプールから送り出され、スプールは、スプールの外側でウェブの長さを増加させる。リトラクタ装置内にラッチ装置を配置することで、リトラクタ装置のモードを、スプールへの近接近においてその第１の状態からその第２の状態あるいはその逆に代えることができ、それによってラッチがリトラクタ装置のスプールと直接的な機械的連係をし、従って、ラッチがリトラクタ装置と直接的に機械的連係をするので機械的な不具合のリスクを低減することができる。
【００１９】
一つの実施の形態においては、リリース機構は、その第２の状態に弾性的に付勢される。これは、リリース機構は、第１の状態になるためには能動的に作動させなくてはならないことを意味し、リトラクタ装置は、ウェブの１つ以上の方向への移動を許容する。従って、リリース機構は、常にその第２の状態に操作されることを求めており、これは、リリース機構が意図せずに第２の状態から第１の状態になってしまうリリース機構の故障のリスクを最小化することを意味する。弾性的に付勢されたリリース機構は、アクチュエータとリトラクタ装置との間の接続に不具合がある場合に、リトラクタ装置が常に安全モード、つまり、第２の状態になることを求めるようにする。従って、不具合がある場合には、リトラクタ装置の不具合のリスクは最小化され、張力ウェブは、リトラクタ装置の外へ出る方向に移動することが防止され、子供は、チャイルドシートに固定的に着席しているときは安全が維持される。従って、衝突時には、張力ウェブがリトラクタ装置の外に出る（送り出される）リスクが事実上なく、従って、子供がハーネスシステムから緩むことが防止される。
【００２０】
一つの実施の形態においては、アクチュエータは、遠方端と近方端とを備える延伸部材であり、延伸部材の近方端は、チャイルドシートにピボット可能に接続されるように構成され、遠方端は、第２のロック部を構成する。チャイルドシートに接続され、ユーザに視認可能なアクチュエータを設けることで、ユーザは、アクチュエータがハーネスシステムのリリース機構の第１及び／または第２の状態が有効化しているかを容易に認識できる。さらに、アクチュエータを、チャイルドシートにピボット可能に接続し、第２のロック部材を自由端に配置することで、アクチュエータを、リリース機構がその第１の状態にある場合に、第１のロック部材を第２のロック部材に接続することを、リリース機構の第２の状態が有効化される位置に回転しない限り、不可能あるいは少なくとも困難にするように配置することができる。アクチュエータは、アクチュエータがチャイルドシートから離れる方向にピボット回転するように適応されるようにチャイルドシートに取り付けられ、それにより、アクチュエータがチャイルドシートから回転して離れた場合に第１の状態が有効化され、一方でアクチュエータ及びロック機構がシートに向けて回転され、また子供がシートに着席している場合に第２の状態が有効化される。従って、第２の状態が有効化されると、アクチュエータは、第２のロック機構が第１のロック機構と自然に合致するように位置決めされる。
【００２１】
一つの実施の形態においては、アクチュエータは、アクチュエータがリリースされた際に第１の状態を有効化する位置へと自動的に回転するようにスプリングによって付勢されてよく、この位置は、シートから離れる方向にあるように適応される。しかしながら、リトラクタ装置もまたスプリングによって付勢され、張力ウェブを後退するように適応されるので、リトラクタ装置は、リトラクタ装置のスプリングによる付勢がアクチュエータのスプリングによる付勢よりも大きい程度で、スプリングによって付勢され得る。従って、第１のロック機構が第２のロック機構に接続されると、リトラクタ装置は、アクチュエータを、リリース機構の第２の状態を有効化するその第２の位置に移動させることが可能となる。従って、ロック装置が合致すると、リトラクタ装置は、アクチュエータを第２の状態とし、リリース機構がその第２の状態に遷移すると、リリース機構は、リリース機構が張力ウェブをリトラクタ装置から引っ張り戻されることを防止するため、アクチュエータが第１の状態に戻ることを防止する。従って、シートを使用する子供、あるいは、ユーザは、アクチュエータを、その第２の状態からその第１の状態へと、ロック機構をリリースしない、つまり、第１の張力ウェブのロックバックルをアクチュエータの合致するバックルコネクタの金具から外さない限り移動することができない。
【００２２】
一つの実施の形態においては、前記リリース機構は、前記アクチュエータによって付勢されるように適応され、前記リトラクタ装置をその第１の状態あるいはその第２の状態に固定するために前記リトラクタ装置に接続されるリリースアームを備えてよい。アクチュエータは、第１の位置から第２の位置へ、あるいはその逆へ移動するように適応されてよく、セーフティシートに単一接続で取り付けられてよい。従って、アクチュエータの移動は、直接あるいはリリースアームを介してリリース機構に伝達され、このアームは、アクチュエータによって第１の位置から第２の位置、あるいはその逆へ付勢されるように適応される。従って、アクチュエータの移動は、リリースアームをその相関位置に移動させることに用いられ、従ってリリース機構に伝達されて第１の状態及び／または第２の状態を有効化する。リリースアームを設けることで、アクチュエータをリリース機構との直接的な連係から分離でき、それによって意図しないアクチュエータの移動が、意図的にリリース機構から分離され得る。当該状況は衝突によって起こり得るもので、衝撃力が、アクチュエータをその第１の位置に若干移動させる。リリースアームを設けることで、アクチュエータの若干の移動が、リリース機構に伝達されないことを確実にし、張力ウェブの意図しないリリースのリスクを最小化あるいは完全に防止する。従って、リリースアームは、アクチュエータが完全にその第１の位置に移動した場合、アクチュエータの移動をその開位置に伝達することにのみ用いられ、アクチュエータが完全にその第１の位置に到達するまで、アクチュエータの移動は伝達されない。従って、アクチュエータのその第２及び第１の位置間の遷移移動によって生じたあらゆる力は、リリース機構から分離される。
【００２３】
一つの実施の形態においては、リリース機構は、アクチュエータから分離しており、固定位置において、前記アクチュエータがその第２の位置にあるときに前記リリース機構がその第１の状態に移動することを防止し、開位置において、前記リリース機構がその第１の状態とで動作することを許容する固定部材を備えてよい。リリース機構を開状態から能動的に固定する固定部材を設けることで、リリース機構に冗長性が設けられる。固定部材は、例えば、リリースアームをその固定位置、つまり、第２の位置に維持することに用いられる、あるいは、リトラクタ装置内に第２のロックを設けることに用いられる。従って、衝突時に、固定部材は、力が非常に大きくリリースアームが意図せずに移動してしまうような種類の衝撃であった場合、あるいは、リトラクタのリリース機構が故障した場合に、補助的な防御を提供し得る。
【００２４】
一つの実施の形態においては、アクチュエータは、固定部材に結合されてよく、アクチュエータは、固定部材をその固定位置から開位置へ、あるいはその逆に移動させるように構成される。これは、リリース機構の冗長な固定特徴は、アクチュエータがその第１の位置に移動された場合にのみリリースできることを意味する。従って、アクチュエータがその第２の位置に移動されていない場合、固定部材は、位置に維持され、リリース機構が意図せずにその第２の固定状態からその第１の開状態にならないようにする。従って、アクチュエータがその第１の位置に移動するまで、冗長な安全特徴は有効化されず、またリリース機構は開くことができない。
【００２５】
一つの実施の形態においては、リリース機構は、チャイルドシートの基部に配置されるように構成された第１のリリースモジュール及び／または第２のリリースモジュールを備えてもよい。第１及び第２のリリースモジュールを設けることで、チャイルドシートの一つの位置におけるリリース機構のいくつかの機能を分離でき、第１のリリースモジュール及び／または第２のリリースモジュールにおける潜在的な不具合がリリースモジュールの別の部品に伝達されないようにし得る。第１のリリースモジュールは、例えば、アクチュエータと、リリースアームと、冗長性の安全部材と、第１のロック機構と、第１のモジュールの構成要素を収容し、シートを使用する者の足の間に配置されるように適応されたハウジングとを備える。第２のリリースモジュールは、リトラクタ装置と、リリース機構と、冗長性の安全部材と、張力ウェブと、第２のロック部材と、第２のリリースモジュールの構成要素を保持するハウジングとを備える。
【００２６】
一つの実施の形態においては、第１のリリースモジュールは、リリースケーブルを介して第２のリリースモジュールに結合されてよく、リリースケーブルは、第１のリリースモジュールに加わる力を前記第２のリリースモジュールに、またその逆に力を伝達するように適応される。第１のリリースモジュールを第２のリリースモジュールから分離し、ケーブルを用いて２つのモジュールを結合することで、第１のモジュール、第２のモジュール及び／またはケーブルで生じた不具合が、リリース機構の他の構成要素に影響しないように分離し得る。その趣旨で、ケーブルは、スプリングによって付勢されてよく、このスプリングは、リトラクタ装置内に配置されてよく、スプリングは、ロック機構にリトラクタ装置が第２の状態を維持するようにさせる。従って、ケーブルが衝突によって切断あるいは破断した場合、スプリングは、リトラクタ装置に張力ウェブをその第２の方向に移動、つまり、リトラクタ装置からリリースあるいは引き出させないようにさせる。
ケーブルのスプリング力は、ケーブルのスプリングの弾性力がアクチュエータの弾性力よりも小さくなるように適応され、アクチュエータがその第１の位置に弾性的に移動した場合、アクチュエータの弾性力は、ケーブルスプリングの弾性力より大きく、これは、ケーブルスプリングは、アクチュエータがその第１の位置に移動することを防止せず、リリース機構の第２の状態を有効化することを許容する。
【００２７】
本発明は、また、上記のハーネスシステムを備えるチャイルドシートに関連する。
【００２８】
本発明を以下の図面を参照して詳細に説明する。
【図面の簡単な説明】
【００２９】
【図１Ａ−１Ｂ】本発明に係るハーネスシステムの側面図である。
【図２Ａ−２Ｃ】本発明の実施の形態に係るアクチュエータの側面図である。
【図３Ａ−３Ｂ】本発明に係るアクチュエータの断面図である。
【図４Ａ−４Ｂ】本発明に係る安全部材の斜視図である。
【図５Ａ−５Ｆ】リトラクタ装置を、側面、断面、詳細断面、正面、及び正面断面でそれぞれ示す図である。
【発明を実施するための形態】
【００３０】
図１Ａは、本発明に係るハーネスシステム１の側面図であり、このハーネスシステム１は、チャイルドシート（図示せず）の裏に実装され得るリトラクタ装置２と、リトラクタ装置２に接続される張力ウェブ３と、を備え、リトラクタ装置は、張力ウェブ３を外方向（送り出し方向）あるいは内方向（巻き取り方向）へ送るスプール機構４を備える。
【００３１】
ハーネスシステム１は、さらに、第１のモジュールハウジング５を備え、このハウジングは、ピボット点７でハウジング５にピボット可能に接続されるアクチュエータアーム６を備える。ハウジング５は、セーフティシート（図示せず）の基部に位置決めされるように適応され、これは、ユーザの股に近接する足の間に位置決めされるように適応され得る。ハウジング５は、ケーブル８を介してリトラクタ装置に機械的に接続されてよく、アクチュエータアーム６の移動がケーブル８を介してリトラクタ装置に伝達される力に変換され得る。張力ウェブ３は、合致用ロック装置２９を介してアクチュエータアームのロック機構９に接続されてよく、張力ウェブの自由端１０がロック機構９に堅固に接続される。ロック機構９は、スイッチと、ボタンと、当該ロック機構９からロック装置を選択的にリリースするリリース機構とを備えてよい。
【００３２】
アクチュエータアーム６は、図１Ｂに示すその第１の位置から図１Ａに示す第２の位置にピボットし、アクチュエータアームの位置がリトラクタ装置２に移されてリトラクタ装置が機能を発揮するようになり、第１の状態では、リトラクタ装置は、張力ウェブ３がリトラクタ装置２から延伸することを許容し、図１Ｂの矢印Ｂで示す方向に、リトラクタ装置内への後退を許容する。
【００３３】
図１Ａは、第２の状態のハーネスシステムを示し、アクチュエータアーム６は、その第２の位置にピボットするように操作される。アクチュエータアーム６の移動は、リトラクタ装置に向かってケーブル８を介して力を伝達し、リリース機構は、リトラクタ装置が、張力ウェブ３をリトラクタ装置から送り出すことを防止する。アクチュエータアーム６がその第２の位置へ移動された場合、張力ウェブの自由端１０に取り付けられたロック装置２９は、ロック機構９内に挿入され、張力ウェブ３を介してリトラクタ装置２とアクチュエータアーム６との間の機械的な接続を固定する。
【００３４】
図１Ｂに示すように、リリース機構及びハーネスシステムの第１の状態は、セーフティシートに固定されるべき人がシート（図示せず）上に位置決めされることを許容し、張力ウェブがシートの人を包むように適応される程度にまで、張力ウェブが解放されることを許容する。張力ウェブが好適な長さまでリリースされると、アクチュエータアーム６は、図１Ａに示すその第２の位置にピボットし、ロック装置がロック機構１０に固定される。アクチュエータアーム６のその第２の位置へのピボットにより、リトラクタ装置は、張力ウェブが更に引き出されることを防止し、図１Ａに示す矢印Ｂの方向へとリトラクタ装置内に弾性的に引き込まれ、それによって張力ウェブはシートに座っている人の身体を好適に締め付ける。
【００３５】
張力ウェブ３がアクチュエータアーム６に取り付けられて緩まないので、張力ウェブは、ロック装置がロック機構９からリリースされるまで、アクチュエータアームがその第１の位置にピボットしないようにする。
【００３６】
従って、セーフティシートを使用する子供の世話人あるいは親が、子供にストラップを装着し、ロック機構９とともにロック装置を固定し、ストラップ（張力ウェブ）の締め付けを確認すると、世話人は、アクチュエータアーム６がその第２の位置にあることを識別することで、ストラップが緩むことが防止されているので、子供がシートから緩むことがないと確信できる。
【００３７】
図２Ａ−２Ｃは、異なる位置におけるハウジング５及びアクチュエータアーム６を示す。アクチュエータアーム６は、ピボット点７を中心として回転するように適応され、それにより、アクチュエータアームの自由端は、アクチュエータアームがリトラクタ装置をその第２の状態にロックする直立位置（図２に示す）から、張力ウェブがリトラクタ装置内に送り込まれ、またリトラクタ装置から送り出されることを許容する平坦位置（図２Ｂに示す）に移動する。
【００３８】
アクチュエータアーム６の移動は、スプリングによって付勢されてよく、それにより、アクチュエータアームに、アクチュエータアーム６を直立位置から平坦位置に回転させようとする力Ｆ１が継続して加わり、張力ウェブがリリースされて緩むようになる。力Ｆ１は、ウェブがアクチュエータアーム６に固定された際に、張力ウェブに過大なトルクを加えることがない大きさである。しかしながら、張力ウェブがリリースされ、また、外部の力がアームに加わっていない場合、当該力は、アクチュエータアームをその平坦位置に移動させるのに十分な力である。
【００３９】
図３Ａ及び３Ｂは、ハウジング５及びアクチュエータアーム６の部分的な断面図であり、図３Ａは、平坦位置にあるアクチュエータアームを示し、一方で図３Ｂは、直立位置にあるアクチュエータアーム６を示す。
【００４０】
ハウジング５は、更に、リリースアーム１１を備え、このアームは、ピボット点１２を介してハウジング５にピボット可能に接続され、第１の端１３はケーブル８に取り付け及び固定され、第２の端１４は曲面１５を備える。アクチュエータアームは、トルク部材１６を備えてよく、この部材は、アクチュエータアーム６に接続され、アクチュエータアームに対して不動であり、アクチュエータアームの底部端１７から延伸する。アクチュエータアーム６がピボットすると、トルク部材１６は、アクチュエータアームの移動に追従し、ここで、トルク部材はアクチュエータアームと同一のピボット点７を共有してよく、ピボット点から離れる方向に、アクチュエータアームの長手軸に沿ってかつアクチュエータアームを超えて延伸する。
【００４１】
アクチュエータアーム６がその直立位置にある場合、図３Ｂに示すように、トルク部材１６は、リリースアーム１１から離れた位置にあり、従ってリリースアーム１１へ何の力も加えず、リリースアームはロック位置に維持され、リリースアーム１１の第１の端１３が、ハウジング５のケーブルアタッチメント１８近傍の位置に回転される。ケーブル８は、スプリングによって力Ｆ２で付勢され、これにより、アクチュエータアーム６がその直立位置にある際に、リリースアーム１１が確実にロケット位置に維持される。
【００４２】
アクチュエータアーム６が、ピボット点７を介してその平坦位置（図３Ａに示す）に回転すると、トルク部材１６は、リリースアーム１１に向かう方向にアームとともに回転し、それにより、トルク部材１６はリリースアーム１１と接触し、接触面２０が曲面１５と接触するまで、リリースアーム１１の第１の表面領域１９に沿って移動する。トルク部材１６の接触面２０が曲面１５と接触すると、接触面２０は曲面に力を加え、これは、ケーブル８を介して加えられてリリースアーム１１をピボットさせる力Ｆ２より大きく、第１の端１３は、ケーブルアタッチメントから離れる方向に移動し、これにより、第１の端１３が力Ｆ３でケーブル８上に引っ張られる。引っ張り力Ｆ３は、スプリング力Ｆ２より大きく、ケーブルにリリース機構の第２の状態を有効化させ、図１Ｂに示すように、リトラクタ装置に張力ウェブを２つの方向に移動させる。
【００４３】
アクチュエータアーム６の移動が逆になると、トルク部材１６は、曲面１５から離れるようにスライドし、図３Ｂに示すように、リリースアーム１１がそのロック位置に戻ることを許容する。
【００４４】
図４Ａ及び４Ｂは、その直立位置と平坦位置とにあるアクチュエータアーム６をそれぞれ示す。ハウジング５は、さらに、固定部材２１を備えてよく、この部材は、アクチュエータアーム６がその直立位置にある場合に、リリースアーム１１をそのロック位置（図４Ａ）に固定するように適応される。固定部材は、弾力部材であってよく、この部材は、リリースアーム１１と同一面上のその自然位置に適応され、固定部材２１の自由端２２が、リリースアーム１１の第１の面１９と連結され、これにより、リリースアームが、矢印Ｃで示す方向にピボットすることを確実に防止する。アクチュエータアーム６が図４Ｂに示すその平坦位置に移動すると、リリースアームがその開位置（図３Ａに示す）にピボットすることが許容され、トルク部材１６は、リリースアーム１１の平面から外側へ固定部材に弾性力を加えるように適応され、固定部材の自由端をリリースアーム１１から離れるように移動させる。従って、自由端が外側へ押されると、リリースアーム１１はそのピボット点１２を中心に自由に回転することができ、トルク部材１６が、リリースアーム１１を図３Ａに示すその位置へ押すことを許容する。
【００４５】
アクチュエータアームがその直立位置に戻るように移動すると、トルクアーム１６は、固定部材への力を解除し、リリースアーム１１がそのロック位置（図３Ｂに示す）に戻ると、図４Ａに示すその自然位置に弾性力によって戻る。
【００４６】
図５Ａは、リトラクタ装置２の側面図であり、図５Ｂは、軸Ｉ−Ｉに沿ったリトラクタ装置の断面図であり、図５Ｃは、リトラクタ装置２のロック機構及びスプリングによって付勢されたケーブル８の詳細図であり、図５Ｄは、リトラクタ装置の正面図である図５Ｆの軸ＩＩ−ＩＩに沿った断面図であり、図５Ｅは、図５Ｄの詳細図である。リトラクタ装置２は、少なくとも１つのリリースピン２８を備え、このリリースピンは、その第１の位置（図５Ｃに示す）にあるとリトラクタ装置をその第２の状態に維持し、リトラクタ装置が、張力ウェブをリトラクタ装置から送り出すことを防止する。リリースピンがその第２の位置（図示せず）に押圧されると、リトラクタ装置が張力ウェブを両方向に引っ張ることができるようにする。
【００４７】
図５Ｆは、リトラクタ装置２の正面図を示し、リトラクタ装置は、ハウジング２５を備える。この例のリトラクタ装置２は、第１の側３２に配置された第１のスプール３０と、第２の側３３に配置された第２のスプール３１とを備えてよく、各スプールは、張力ウェブ（図示せず）を巻き取りまたは送り出すように適応される。ハウジング２５は、スプール３０及び３１を包囲し、周辺環境から張力ウェブを保護するように適応される。ハウジング２５は、第１のスプール３０用の第１のウェブ開口３４と、第２のスプール用の第２のウェブ開口３５とを有してよく、巻き取り及び送り出しのために、張力ウェブ（図示せず）がハウジング２５に入るあるいはハウジング２５から外へ延伸することを許容する。本発明に係るリトラクタ装置は、また、２つ以上のリトラクタを備えてよく、これらは一体化されていない。
【００４８】
図５Ｃは、ケーブル８の近方端２３を示し、この端は、リリース部材２４に取り付けられる。リリース部材は、スプリング２６（図５Ｅに示す）を介してリトラクタ装置ハウジング２５に固定され、スプリングは、リリース部材２４を引っ張り、ひいては、ケーブルの近方端２３を引っ張る。スプリングによって加えられる力は、Ｆ２（図５Ｅに示す）であり、図３Ｂのケーブルの反対の端において示される。リリース部材２４は、その長手軸（ケーブル８と平行）に沿って移動するように適応され、力Ｆ２よりも大きな力Ｆ３がケーブル８（また、図３Ａにも示す）に加えられると、リリース部材は、装置ハウジングの内面２７に向かう方向に移動する。リリース部材は、このように適応され、リリース部材がリリースピン２８を通過すると、リリース部材は、リリースピンをその第１の位置からその第２の位置に押し、これによってリリース機構の第１の状態を有効化する。力Ｆ３がリリースされると、リリース部材２４は、その通常位置に戻り、リトラクタ装置及びリリース機構が確実にその第２の状態となるようにする。
【図１Ａ】
2019519437.tif 000003
【図１Ｂ】
2019519437.tif 000004
【図２Ａ】
2019519437.tif 000005
【図２Ｂ】
2019519437.tif 000006
【図２Ｃ】
2019519437.tif 000007
【図３Ａ】
2019519437.tif 000008
【図３Ｂ】
2019519437.tif 000009
【図４Ａ】
2019519437.tif 000010
【図４Ｂ】
2019519437.tif 000011
【図５Ａ】
2019519437.tif 000012
【図５Ｂ−５Ｃ】
2019519437.tif 000013
【図５Ｄ−５Ｅ】
2019519437.tif 000014
【図５Ｆ】
2019519437.tif 000015
【国際調査報告】
2019519437.tif 000016
2019519437.tif 000017